(57)【要約】【課題】ユーザが外出するか否かの判断を行ない、ユーザに忘れ物を通知する。【解決手段】無線信号発信機２７が発信する無線信号を受信し、受信した無線信号から特定される情報を提示する情報提示装置１であって、予め設定された範囲内に存在する無線信号発信機２７が発信する無線信号から、ユーザの所持品を特定する所持品特定部１３と、前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置３に出力する通知制御部１９と、を備える。【選択図】図１
2016161997.tif 000002
【特許請求の範囲】
【請求項１】
無線信号発信機が発信する無線信号を受信し、受信した無線信号から特定される情報を提示する情報提示装置であって、
予め設定された範囲内に存在する無線信号発信機が発信する無線信号から、ユーザの所持品を特定する所持品特定部と、
前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置に出力する通知制御部と、を備えることを特徴とする情報提示装置。
【請求項２】
前記通知制御部は、前記特定したユーザの所持品を示す情報およびユーザが外出する際に所持する確率を示す情報を比較し、ユーザが外出するか否かを判断することを特徴とする請求項１記載の情報提示装置。
【請求項３】
前記通知制御部は、ユーザが外出から戻った時に所持している無線信号発信機が発信する無線信号からユーザの所持品を特定し、前記特定したユーザの所持品を示す情報と、外出時に特定したユーザの所持品を示す情報とを比較し、差異があった場合は、通知情報を出力することを特徴とする請求項１または請求項２記載の情報提示装置。
【請求項４】
インターネットを介して受信した携帯端末装置からの問合せに応じて、その時点で受信した無線信号から特定した情報を前記携帯端末装置に送信するサーバ機能部を更に備えることを特徴とする請求項１から請求項３のいずれかに記載の情報提示装置。
【請求項５】
ホームネットワークを介して、一定の範囲内にあるデバイス機器の状態を示す状態情報を取得するネットワーク連携部を備え、
前記通知制御部は、ユーザが外出すると判断した場合は、前記状態情報を出力することを特徴とする請求項１から請求項４のいずれかに記載の情報提示装置。
【請求項６】
前記通知制御部は、天気情報を取得し、前記特定したユーザの所持品が、前記天気情報に対応しているかどうかを判断することを特徴とする請求項１から請求項５のいずれかに記載の情報提示装置。
【請求項７】
無線信号を発信する少なくとも一つの無線信号発信機と、
請求項１から請求項６のいずれかに記載の情報提示装置と、
前記情報提示装置から提供された情報を表示する携帯端末装置と、から構成される情報提示システム。
【請求項８】
無線信号発信機が発信する無線信号を受信し、受信した無線信号から特定される情報を提示するプログラムであって、
予め設定された範囲内に存在する無線信号発信機が発信する無線信号から、ユーザの所持品を特定する処理と、
前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置に出力する処理と、を含む一連の処理をコンピュータに実行させることを特徴とするプログラム。
【発明の詳細な説明】
【技術分野】
【０００１】
本発明は、ユーザが外出するか否かの判断を行ない、ユーザに忘れ物を通知する技術に関する。
【背景技術】
【０００２】
従来から、毎日同じものを持っていき、会社や学校に行っているとしても、うっかり忘れ物をすることは多々ある。そのような時、家を出る前に自分が今所持している物を提示されれば、忘れ物に気付くことができ、忘れ物が減ると期待できる。また、物だけではなくエアコンをつけっぱなしで出かけるなど、忘れているコトについて、出かける時に提示して貰いたいというニーズもある。そして、これらの他、外出先であるモノがないと気付いた時に、家に忘れているだけなのか、それともどこかへ置き忘れてきてしまったのかどうかを確認したいというニーズもある。
【０００３】
特許文献１では、携帯通信装置とＲＦＩＤタグ、携帯通信装置内のスケジュールデータを利用して、忘れ物を検出する技術が開示されている。
【０００４】
特許文献２では、手荷物が所定の場所を通過する際に、忘れ物があるか検出する技術が開示されている。これは、所定の場所に、ＩＣカードリーダが設置されており、ＩＣカードを読み込ませると、カードから認証情報と手荷物を読み取る。手荷物を監視装置がある預かり所に預けたまま、ＩＣカードを利用して所定の場所を通過すると警告する技術が開示されている。
【０００５】
特許文献３では、電車等の改札装置を出るときに、入ったときの手荷物を忘れていないかチェックする忘れ物防止の技術が開示されている。
【０００６】
特許文献４では、所持品につけられたタグを、タグ読み取り装置が読み取ることにより、所持品を管理し、所持品を通知し、さらに、移動センサーやドアセンサー等を利用し、家に入った又は家から出たかを判断する技術が開示されている。
【先行技術文献】
【特許文献】
【０００７】
【特許文献１】特開２０１４−０４４５２２号公報
【特許文献２】特開２００８−１４０１９６号公報
【特許文献３】特開２０１１−１７０５２７号公報
【特許文献４】特開２００４−２４６６９６号公報
【発明の概要】
【発明が解決しようとする課題】
【０００８】
しかしながら、特許文献１では、家から外へ出るのを検知するのに加速度センサーによる移動情報と位置情報によって検出しているため、所定の位置または特定の位置で確認することが難しい。家の外に出てしまってから検知する場合もあり、その場合は再度家に入って忘れ物を取りに行く必要があるため面倒である。また、ＲＦＩＤタグを利用しているので、タグとタグリーダの距離は２〜３ｍ程度でしか読み取りができない。そのため、車で家から出る際に、駐車場の出入口やガレージなどで確認することはできない。また、新聞を取りに家から出るといった忘れ物検知をする必要がない状況においても家の外へ出ることを検知し動作してしまう。
【０００９】
また、特許文献２では、一時的に預けた物が忘れ物となることを防止した忘れ物防止装置であり、家から出るときの忘れ物確認には適さない。また、ＩＣカードリーダや預かり場所の監視装置など、システムも大がかりなため、家庭での利用は難しい。
【００１０】
また、特許文献３では、駅の改札装置が必要なため、特許文献２の技術と同様、システムが大がかりなため、家庭での利用は難しい。
【００１１】
また、特許文献４では、家の出入りを移動センサーとドアセンサーによって検知しているため、特許文献１と同様に、例えば、新聞を取りに家から出るといった忘れ物検知をする必要がない状況においても、外出すると判断し検知してしまう。
【００１２】
また、上記特許文献では、忘れているモノの検出はできるが、忘れているコトを検出することはできない。例えば、家を出るときにエアコンを消し忘れたり、電気を消し忘れたりすることがある。このような場合においても、忘れているだろうコトを検出し、通知してくれる必要があると考える。
【００１３】
また、忘れ物を防止する必要もあるが、外出先で忘れ物に気付いた時、忘れ物が家にあるのかどうかを確認したいというニーズもある。例えば、業務で利用する重大情報が入ったＵＳＢメモリ等を持っていないことに気付いた場合、家にあるなら問題はないが、外出先でなくしていた場合は、探さなければならない。そのため、忘れ物が家にあるかどうかを確認したい場合、既存の技術では、今持っているモノを検出することはできるが、今家にあるモノを確認することができない。
【００１４】
本発明は、このような事情に鑑みてなされたものであり、ユーザの行動分析を行ない、外出する時または外出先から戻った時は、ユーザ自身が忘れているモノまたはコトに関する情報を提示し、外出先では、外出先からモノの存在を確認してモノに関する情報を提示する情報提示装置、情報提示システムおよびプログラムを提供することを目的とする。
【課題を解決するための手段】
【００１５】
（１）上記の目的を達成するために、本発明は、以下のような手段を講じた。すなわち、本発明の情報提示装置は、無線信号発信機が発信する無線信号を受信し、受信した無線信号から特定される情報を提示する情報提示装置であって、予め設定された範囲内に存在する無線信号発信機が発信する無線信号から、ユーザの所持品を特定する所持品特定部と、前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置に出力する通知制御部と、を備えることを特徴とする。
【００１６】
このように、情報提示装置は、無線信号発信機が発信する無線信号を受信し、受信した無線信号から特定される情報を提示する情報提示装置であって、予め設定された範囲内に存在する無線信号発信機が発信する無線信号から、ユーザの所持品を特定する所持品特定部と、範囲内でユーザの所持品を特定した場合、ユーザが過去に外出した日時を含む統計情報に基づいて、ユーザが外出するか否かを判断し、ユーザが外出すると判断した場合は、特定したユーザの所持品を示す情報を、携帯端末装置に出力するので、外出すると判断した場合は、ユーザに所持品を通知することができる。その結果、ユーザに忘れ物の有無を認識させることができる。
【００１７】
（２）また、本発明の情報提示装置において、通知制御部は、前記特定したユーザの所持品を示す情報およびユーザが外出する際に所持する確率を示す情報を比較し、ユーザが外出するか否かを判断することを特徴とする。
【００１８】
このように、通知制御部は、特定したユーザの所持品を示す情報およびユーザが外出する際に所持する確率を示す情報を比較し、ユーザが外出するか否かを判断するので、所持する確率に応じて、ユーザが外出するかどうかを判断できる。例えば、外出時に、財布を所持する確率が高い場合、特定した所持品に財布が含まれている場合は外出すると判断することができる。
【００１９】
（３）また、本発明の情報提示装置において、通知制御部は、ユーザが外出から戻った時に所持している無線信号発信機が発信する無線信号からユーザの所持品を特定し、前記特定したユーザの所持品を示す情報と、外出時に特定したユーザの所持品を示す情報とを比較し、差異があった場合は、通知情報を出力することを特徴とする。
【００２０】
このように、通知制御部は、ユーザが外出から戻った時に所持している無線信号発信機が発信する無線信号からユーザの所持品を特定し、特定したユーザの所持品を示す情報と、外出時に特定したユーザの所持品を示す情報とを比較し、差異があった場合は、通知情報を出力するので、外出中に所持品をどこかへ忘れたか、または落としたことをユーザに認識させることができる。
【００２１】
（４）また、本発明の情報提示装置は、インターネットを介して受信した携帯端末装置からの問合せに応じて、その時点で受信した無線信号から特定した情報を前記携帯端末装置に送信するサーバ機能部を更に備えることを特徴とする。
【００２２】
このように、インターネットを介して受信した携帯端末装置からの問合せに応じて、その時点で受信した無線信号から特定した情報を携帯端末装置に送信するので、外出先であっても携帯端末装置で、特定した情報とユーザの所持品とを照合することができる。これにより、例えば、家にある情報提示装置から特定した情報を取得し、現在所持していない物が、前記特定した情報に含まれている場合は、家に忘れ物があることを、外出先からユーザに認識させることができる。
【００２３】
（５）また、本発明の情報提示装置は、ホームネットワークを介して、一定の範囲内にあるデバイス機器の状態を示す状態情報を取得するネットワーク連携部を備え、前記通知制御部は、ユーザが外出すると判断した場合は、前記状態情報を出力することを特徴とする。
【００２４】
このように、ホームネットワークを介して、一定の範囲内にあるデバイス機器の状態を示す状態情報を取得するネットワーク連携部を備え、通知制御部は、ユーザが外出すると判断した場合は、状態情報を出力するので、例えば、デバイス機器としてのエアコンの消し忘れ、または照明の消し忘れ等のような、忘れているであろうコトを通知することができる。
【００２５】
（６）また、本発明の情報提示装置において、通知制御部は、天気情報を取得し、前記特定したユーザの所持品が、前記天気情報に対応しているかどうかを判断することを特徴とする。
【００２６】
このように、通知制御部は、天気情報を取得し、特定したユーザの所持品が、天気情報に対応しているかどうかを判断するので、普段の所持品に加え、天気情報などに基づいて、傘などの天候によって必要となる物も通知することができる。
【００２７】
（７）また、本発明の情報提示システムは、無線信号を発信する少なくとも一つの無線信号発信機と、（１）から（６）のいずれかに記載の情報提示装置と、情報提示装置から提供された情報を表示する携帯端末装置と、から構成されることを特徴とする。
【００２８】
このように、情報提示システムは、無線信号を発信する少なくとも一つの無線信号発信機と、（１）から（６）のいずれかに記載の情報提示装置と、情報提示装置から提供された情報を表示する携帯端末装置から構成されるので、外出すると判断した場合は、ユーザに所持品を通知することができる。その結果、ユーザに忘れ物の有無を認識させることができる。
【００２９】
（８）また、本発明のプログラムは、無線信号発信機が発信する無線信号を受信し、受信した無線信号から特定される情報を提示するプログラムであって、予め設定された範囲内に存在する無線信号発信機が発信する無線信号から、ユーザの所持品を特定する処理と、前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置に出力する処理と、を含む一連の処理をコンピュータに実行させることを特徴とする。
【００３０】
このように、無線信号発信機が発信する無線信号を受信し、受信した無線信号から特定される情報を提示するプログラムであって、予め設定された範囲内に存在する無線信号発信機が発信する無線信号から、ユーザの所持品を特定する処理と、前記範囲内でユーザの所持品を特定した場合、ユーザが過去に外出した日時を含む統計情報に基づいて、ユーザが外出するか否かを判断し、ユーザが外出すると判断した場合は、前記特定したユーザの所持品を示す情報を、携帯端末装置に出力するので、外出すると判断した場合は、ユーザに所持品を通知することができる。その結果、ユーザに忘れ物の有無を認識させることができる。
【発明の効果】
【００３１】
本発明によれば、ユーザが外出すると判断した場合は、ユーザに所持品を通知することができる。その結果、ユーザに忘れ物の有無を認識させることができる。
【図面の簡単な説明】
【００３２】
【図１】本実施形態に係る情報提示システムの概略構成を示すブロック図である。
【図２】本実施形態に係る情報提示システムの動作例を示すフローチャートである。
【図３Ａ】外出日時の統計情報が記憶されたテーブルの一例である。
【図３Ｂ】所持品の統計情報が記憶されたテーブルの一例である。
【図４】家の玄関に情報提示装置を配置した場合の具体的動作例を示すイメージ図である。
【図５】ガレージに情報提示装置を配置した場合の具体的動作を示すイメージ図である。
【図６】ホームネットワークを用いて、デバイス機器の状態情報を取得する動作を示すイメージ図である。
【図７】ユーザが外出から戻ったときの情報提示装置の動作例を示したフローチャートである。
【図８】インターネット経由で情報提示装置に接続した場合の動作例を示すフローチャートである。
【図９】外出先から家にあるモノの情報を取得する動作を示すイメージ図である。
【図１０Ａ】情報提示装置を部屋に設置し、部屋にあるデバイス機器を操作する動作のイメージ図である。
【図１０Ｂ】情報提示装置を部屋に設置し、部屋にあるデバイス機器を操作する動作のイメージ図である。
【発明を実施するための形態】
【００３３】
本発明者は、ユーザの外出を検知するタイミングや外出の際に忘れているモノ、または忘れているコトがないか等を正確に判断することができないこと、そして、外出後に気付いた忘れているモノの存在確認ができない状況に着目し、無線信号発信器を用いて、外出時の日時、所持品およびこれらの統計情報から外出であるか否かを判断し、忘れているモノ、または忘れているコトを通知すること、更に、インターネットを介して外出先で気付いた忘れているモノの存在を確認することができることを見出し、本発明をするに至った。
【００３４】
すなわち、本発明の情報提示装置は、無線信号発信機が発信する無線信号を受信し、受信した無線信号から特定される情報を提示する情報提示装置であって、予め設定された範囲内に存在する無線信号発信機が発信する無線信号から、ユーザの所持品を特定する所持品特定部と、前記範囲内でユーザの所持品を特定した場合、ユーザが過去に外出した日時を含む統計情報に基づいて、ユーザが外出するか否かを判断し、ユーザが外出すると判断した場合は、前記特定した所持品を示す情報を、携帯端末装置に出力する通知制御部と、を備えることを特徴とする。
【００３５】
これにより、本発明者は、外出すると判断した場合は、ユーザに所持品を通知し、その結果、ユーザに忘れ物の有無を認識させることを可能とした。以下、本発明の実施形態について図を参照して説明する。
【００３６】
図１は、本実施形態に係る情報提示システムの概略構成を示すブロック図である。本システムは、情報提示装置１、携帯端末装置３、および無線信号発信機２７から構成される。
【００３７】
無線信号発信機２７は、ＩＣタグ、またはＢｌｕｅｔｏｏｔｈ（登録商標）等の無線搭載デバイス５を想定している。携帯端末装置３などＢｌｕｅｔｏｏｔｈ（登録商標）通信機能を持っているものについては、ＩＣタグ等の無線信号発信機２７を付することなく情報提示装置１に読み取らせることが可能である。そのため、例えば、Ｂｌｕｅｔｏｏｔｈ（登録商標）搭載無線搭載デバイス５でも実装が可能である。
【００３８】
次に情報提示装置１について説明する。情報提示装置１は、第１の近距離通信部２５、設定範囲情報部１１、所持品特定部１３、ネットワーク連携部１５、統計情報記憶部２１、通知制御部１９、サーバ機能部１７から構成される。第１の近距離通信部２５は、無線信号発信機２７と、ビーコン信号等の無線信号を用いて送受信を行なう。
【００３９】
設定範囲情報部１１は、一定距離内にあるモノを所持品と判断する際の一定距離の情報の設定を行なう。例えば、情報提示装置１を玄関で利用する場合には、近距離（１〜３ｍ程度）で問題ないが、車のガレージ等で利用した場合は、中距離（１０ｍ）と場所によって変更が可能であり、ユーザ自身が予め設定を行なう。一定距離の情報として設定された特定の範囲は、例えば、Ｂｌｕｅｔｏｏｔｈ（登録商標）の電波強度により、情報提示装置１と無線信号発信機２７の距離を取得できるので、ユーザが特定の範囲を自由に変更することができる。そのため、車で出かける際の駐車場の出入口に情報提示装置１を設置することにより、家の玄関だけではなく様々な場所で所持品の確認が可能となる。
【００４０】
所持品特定部１３は、第１の近距離通信部２５で受信した無線信号から設定範囲情報部１１に設定された一定距離内にあるモノを検知し、設定範囲にあると判断したモノを所持品として特定する。
【００４１】
ネットワーク連携部１５は、ホームネットワーク９に接続されている別の情報提示装置７と接続することができる。別の情報提示装置７と接続した後、別の情報提示装置７に接続されている無線搭載デバイス機器５の状態を示す状態情報を取得する。ホームネットワーク９は、無線ＬＡＮで構成されていても良いし、有線ＬＡＮで構成されていても良い。
【００４２】
統計情報記憶部２１は、ユーザが外出した日時および外出時に身に着けている所持品の情報（以下、所持品情報ともいう）を、ユーザが外出する毎に取得し、記憶する。そして、記憶した過去の外出した日時および外出時に身に着けている所持品の情報を用いて、外出日時の統計情報および外出の際に身に着けている所持品の統計情報を算出し、記憶する。
【００４３】
通知制御部１９は、外出しようとしているのか否かを判断し、外出しようとするタイミングでのみ通知を行なう。通知するタイミングの判断は、今までの統計情報に基づいて判断する。統計情報については、追って説明する。また、通知する内容は、所持品特定部１３で特定した所持品情報、デバイス機器５の状態を示す状態情報、または別の情報提示装置７から取得したデバイス機器５の状態を示す状態情報である。そして、外出から戻った時には、外出時と所持品が同じか否かを判断し、所持品が同じと判断した場合は、通知を行なわない。一方、所持品が違うと判断した場合は、外出時にどこかに落とした、または忘れたという可能性があるため、差異のある所持品情報を提示することにより、通知を行なう。
【００４４】
サーバ機能部１７は、携帯端末装置３からインターネット９経由で情報提示装置１へのアクセスを受け、現在家にあるモノの検出結果を、例えば、ｈｔｍｌなどのブラウザで表示できる形式にして画面を作成し、インターネット９経由で携帯端末装置３へ送信する。
【００４５】
ここで、情報提示装置１は、小型のマイコンやＰＣを想定しているが、無線機能がついているものであれば代用が可能であり、スマートフォン等でも実装が可能である。そのため、本装置を設置するにあたり、大掛かりな装置の設置は必要なく、低コストで実装可能である。
【００４６】
次に、携帯端末装置３について説明する。携帯端末装置３は、第２の近距離通信部２９、表示部３１（以下、ディスプレイともいう）、ブラウザアプリ３３、および無線ＬＡＮ３５を搭載している。第２の近距離通信部２９は、情報提示装置１と無線信号の送受信を行なう。表示部３１は、情報提示装置１から取得した所持品情報またはデバイス機器５の状態を示す状態情報を表示する。ブラウザアプリ３３は、無線ＬＡＮ３５を用いてインターネット９を経由し、外出先から情報提示装置１へアクセスすることができ、情報提示装置１から現在家にあるモノの検出結果を取得することができる。携帯端末装置３は、無線機能とディスプレイ機能を持ち合わせているものであれば適応が可能であり、ＰＣや車載機、ゲーム機等を用いることも可能である。
【００４７】
図２は、本実施形態に係る情報提示システムの動作例を示すフローチャートである。まず、情報提示装置は、携帯端末装置から無線信号を受信したか否かの判断を行なう（ステップＳ１）。無線信号を受信していない場合は、ステップＳ１の処理を繰り返す。ステップＳ１において、携帯端末装置から無線信号を受信した場合は、第１の近距離通信部は、携帯端末装置と接続し、通信の確立を行なう（ステップＳ２）。
【００４８】
次に、所持品特定部は、設定範囲情報部から設定範囲情報である距離情報を取得し（ステップ３）、設定範囲内から発せられている無線信号から、所持品情報またはデバイスの状態情報を取得する（ステップＳ４）。通知制御部は、統計情報記憶部から、過去の外出した日時の統計情報および外出の際に身に着けている所持品の統計情報を取得する（ステップＳ５）。
【００４９】
次に、通知制御部は、現在の日時情報を取得する（ステップＳ６）。更に、通知制御部は、無線信号を発している携帯端末装置の情報、所持品特定部で特定された所持品情報、および現在の日時情報を取得し、記録する（ステップＳ７）。
【００５０】
次に、通知制御部は、外出した日時の統計情報と現在の日時情報を用いて、ユーザが外出するか否かを判断する（ステップＳ８）。外出ではないと判断した場合は、通知等を行なわず、処理を終了する。ステップＳ８において、外出すると判断した場合は、ネットワーク連携部を通じて、同一のホームネットワークに別の情報提示装置があるか否かを判断する（ステップＳ９）。ステップＳ９において、別の情報提示装置がないと判断した場合は、ネットワーク連携部は、通知制御部に別の情報提示装置がないことを示す情報を送信する。通知制御部は、近距離通信部から携帯端末装置へ所持品またはデバイス機器の状態情報を送信する（ステップＳ１３）。一方、ステップＳ９において、別の情報提示装置があると判断した場合、ネットワーク連携部は、ホームネットワークの先に存在する別の情報提示装置が受信しているデバイス機器の状態情報を取得する（ステップＳ１０）。情報提示装置は、取得したデバイス機器の状態情報を用いて、ホームネットワーク先にデバイス機器５があるか否かを判断する（ステップＳ１１）。ステップＳ１１において、接続先にデバイス機器があると判断した場合は、ネットワーク連携部は、別の情報提示装置に接続されているデバイス機器の状態情報を、通知制御部へ送信する。通知制御部は、所持品情報およびホームネットワークに接続されているデバイス機器を含むデバイス機器の状態情報を、携帯端末装置へ送信する（ステップＳ１２）。ステップＳ１１において、接続先にデバイス機器がないと判断した場合は、ステップＳ１３へ遷移する。
【００５１】
なお、携帯端末装置を忘れた場合は、情報提示装置からの通知を受信することができない。しかし、通常、情報提示装置の前を通り過ぎる際には情報提示装置からの通知を受信するが、携帯端末装置を忘れた場合は、その通知を受信することができないことにより、ユーザは携帯端末装置を忘れていることに気付くことができる。また、玄関にある情報提示装置が、アラーム音、音声案内、ランプの発光等で、携帯端末装置そのものがないことを通知することも可能である。
【００５２】
図３Ａおよび図３Ｂは、外出した日時の統計情報および外出の際に身に着けている所持品の統計情報が記憶されたテーブルの一例である。統計情報記憶部は、各曜日および時間毎に外出する確率、および外出の際に身に着けている所持品の確率を算出し各テーブルに記憶する。通知制御部は、ユーザが情報提示装置の前を通過した時点の日時、およびその際に身に着けている所持品、およびこれらの統計情報に基づいて、ユーザが一定時間内の外出または外出ではない、もしくは一定時間以上の外出なのかを判断する。
【００５３】
例えば、月曜日の６：３０にユーザが情報提示装置の前を通過する際に、財布、会社用携帯電話および定期入れを身に着けている場合は、一定時間以上の外出である確率の方が、一定時間内の外出である確率よりも高いので、情報提示装置は、一定時間以上の外出であると判断することができる。
【００５４】
図４は、家の玄関１００に情報提示装置１を配置した場合の具体的動作例を示すイメージ図である。各所持品には、ＩＣタグ等の無線信号発信機２７が付されており、無線信号を発信している。情報提示装置１および携帯端末装置３は、それぞれ近距離通信部を備えており、無線信号を用いて、情報提示装置１−無線信号発信機２７、情報提示装置１−携帯端末装置３間で通信することができる。情報提示装置１は、携帯端末装置３が特定の範囲に入ると、携帯端末装置３から発せられた無線信号により、携帯端末装置３とコネクションを張る。コネクションが張られると、情報提示装置１は、特定の範囲内にある所持品の情報を取得し、取得した所持品情報を用いて、ユーザが現在所持しているモノ以外の情報を携帯端末装置３へ送信する。携帯端末装置３は、情報提示装置１から受信した情報をディスプレイ３１に表示する。例えば、外出する確率が高い時間帯で、財布を持っていない場合に、携帯端末装置３のディスプレイ３１に、忘れているモノとして「財布」を表示させることができる。その他、外出後、家のカギを閉め忘れていた場合に、玄関１００から離れた時に通知することもできる。
【００５５】
また、情報提示装置１は、天気に関するデータを取得することもでき、取得した天気データに基づいて、所持品以外に必要になるものを特定することもできる。例えば、天気予報で降水確率が８０％なのに、傘を持っていない場合に、傘を持っていないことを通知しても良いし、逆に、天気予報で降水確率が０％なのに、鞄の中に折りたたみ傘が入っている場合に傘は不要であることを通知しても良い。
【００５６】
図５は、ガレージ２００に情報提示装置１を配置した場合の具体的動作を示すイメージ図である。ガレージ２００は、玄関に比べ広い空間であるため、情報提示装置１の設定範囲情報の設定範囲を広めに設定する。携帯端末装置３は、ユーザが持っていても良いし、車内に搭載されていても良い。ただし、車内のＩＣタグと車外の情報提示装置１との間で通信を行なうと、物理的な壁や電波シールド等により、電波の減衰が考えられる。そのため、設定範囲情報には、電波の減衰を考慮した設定範囲を設定する。
【００５７】
図６は、ホームネットワーク９を用いて、デバイス機器５の状態情報を取得する動作を示すイメージ図である。各情報提示装置１は、ホームネットワーク９で接続されている。リビング３００に設置された情報提示装置１は、デバイス機器５の状態を示す状態情報を取得し、玄関１００に設置された情報提示装置１にデバイス機器５の状態情報を送信する。玄関１００に設置された情報提示装置１は、取得したデバイス機器５の状態情報を、携帯端末装置３へ送信する。携帯端末装置３は、受信したデバイス機器５に状態情報をディスプレイ３１に表示する。
【００５８】
図７は、ユーザが外出から戻ったときの情報提示装置の動作例を示したフローチャートである。ユーザが外出から戻ると、情報提示装置は、携帯端末装置から無線信号を受信する（ステップＴ１）。無線信号を受信しない場合は、ステップＴ１の処理を繰り返す。携帯端末装置から無線信号を受信すると、情報提示部の通知制御部は、その時点の日時情報を取得する（ステップＴ２）。
【００５９】
外出時間が一定の時間内か否かを判断する（ステップＴ３）。例えば、１０分程度の短い時間であった場合は外出ではないと判断し、その際に身に着けていた所持品情報と外出時の日時を、統計情報記憶部にて記憶する（ステップＴ４）。ステップＴ３において、外出時間が一定時間以上の場合は外出していたと判断し、その際の所持品情報と外出時の時間を統計情報記憶部にて記憶する（ステップＴ５）。
【００６０】
次に、情報提示装置は、設定範囲内にある所持品またはデバイス機器から発せられている無線信号を取得し（ステップＴ６）、外出時の所持品と同じか否かの判断を行なう（ステップＴ７）。外出時と外出から戻った時の所持品が同じである場合は、処理を終了する。ステップＴ７において、外出時と外出から戻った時の所持品情報に差異である場合は、差異のある所持品の情報を携帯端末装置へ送信し、通知を行なう（ステップＴ８）。通知を行なう際に、ＧＰＳ等の履歴データに基づいて、その日に行った場所も通知と併せてユーザに知らせても良い。これにより、ユーザはどこに所持品を置き忘れたかを特定し易くなる。
【００６１】
図８は、インターネット経由で情報提示装置に接続した場合の動作例を示すフローチャートである。情報提示装置のサーバに外出先の携帯端末装置から接続する。携帯端末装置は、ブラウザアプリに情報提示装置内にあるサーバのＵＲＬを入力して接続する。情報提示装置は、インターネット経由からのアクセスを受信し、家にあるモノを特定するために現在受信している無線信号を取得する。この場合は、家を出る時の所持品の確認と違い、設定された範囲内で発せられている無線信号のみを取得するといった絞り込みはしない。これらの範囲の変更は、Ｂｌｕｅｔｏｏｔｈ（登録商標）などの近距離無線でアクセスしてきたのか、またはインターネット経由でアクセスしてきたのかによって判断し、自動的に切り替わる。家にあるモノを特定した後、サーバ機能部が携帯端末装置へ送信するウェブページ（ＨＴＭＬファイルなど）を作成し、インターネット経由で携帯端末装置へウェブページ情報を送信する。
【００６２】
図９は、外出先から家にあるモノの情報を取得する動作を示すイメージ図である。ユーザは、携帯端末装置３からインターネット９を介して、家に設置された情報提示装置１にアクセスする。情報提示装置１は、携帯端末装置３からのアクセスに応じて、家の中にあるモノを特定し、特定したモノの情報を携帯端末装置３へ送信する。携帯端末装置３は、受信した特定したモノの情報をディスプレイに表示する。
【００６３】
図１０Ａおよび図１０Ｂは、情報提示装置１を部屋に設置し、部屋にあるデバイス機器を操作する動作のイメージ図である。部屋に入ると、情報提示装置１は、その部屋にあるデバイス機器の情報を携帯端末装置３へ送信する。携帯端末装置３のディスプレイには、受信したデバイス機器の情報が表示され、リモコンとして利用することもできる。図１０Ａに示す部屋Ａには、ＡデバイスおよびＢデバイスがあり、各デバイス機器の情報を情報提示装置１が取得する。部屋Ａに携帯端末装置３を持っていくと、情報提示装置１から携帯端末装置３へＡデバイスとＢデバイスの情報が送信され、ＡデバイスとＢデバイスのリモコンとして、携帯端末装置３を利用することができる。Ａデバイスを部屋Ａの外へ移動させると、Ａデバイスは部屋Ａにないため、携帯端末装置３のディスプレイには表示されない。また、図１０Ｂに示す部屋Ｂには、Ａデバイス、Ｃデバイス、Ｄデバイス、および情報提示装置１があり、携帯端末装置３を部屋Ｂへ持っていくと、Ａデバイス、ＣデバイスおよびＤデバイスのリモコンとして、携帯端末装置３を利用することができる。
【００６４】
また、図９、図１０Ａおよび図１０Ｂの技術を組み合わせることにより、外出時の通知に気付かず、外出先でエアコンやテレビの切り忘れに気付いた場合は、外出先からインターネットを介して、電源のＯＮ・ＯＦＦを操作する構成をとることも可能である。
【００６５】
その他、本発明を店舗などの広い場所に適用した場合、設定範囲を、店舗を含むように設定することによって、リアルタイムで店舗内にある商品の所在を管理できる。これにより、盗難や万引きなどを検知することも可能である。また、警察や消防で、出動時の装備の確認にも、本発明を適用することが可能である。
【００６６】
以上説明したように、本実施形態によれば、外出する時または外出先から戻った時は、ユーザ自身が忘れているモノまたはコトに関する情報を提示し、外出先では、外出先からモノの存在を確認してモノに関する情報を提示することができる。
【符号の説明】
【００６７】
１  情報提示装置
３  携帯端末装置
５  （無線搭載）デバイス、デバイス機器、
７  別の情報提示装置
９  インターネット、ホームネットワーク
１１  設定範囲情報部
１３  所持品特定部
１５  ネットワーク連携部
１７  サーバ機能部
１９  通知制御部
２１  統計情報記憶部
２５  第１の近距離通信部
２７  無線信号発信機
２９  第２の近距離通信部
３１  表示部、ディスプレイ
３３  ブラウザ、ブラウザアプリ
３５  無線ＬＡＮ
１００  玄関
１０１  Ｂｌｕｅｔｏｏｔｈ（登録商標）
２００  ガレージ（駐車場）
３００  リビング
【図１】
2016161997.tif 000003
【図２】
2016161997.tif 000004
【図３Ａ】
2016161997.tif 000005
【図３Ｂ】
2016161997.tif 000006
【図４】
2016161997.tif 000007
【図５】
2016161997.tif 000008
【図６】
2016161997.tif 000009
【図７】
2016161997.tif 000010
【図８】
2016161997.tif 000011
【図９】
2016161997.tif 000012
【図１０Ａ】
2016161997.tif 000013
【図１０Ｂ】
2016161997.tif 000014